(57)【要約】【課題】シャックルの引抜抵抗が倍増したダイヤル錠機構内蔵型南京錠を提供する。【解決手段】本体にシャックル軸孔とシャックル受孔を平行に設け、シャックル軸孔とシャックル受孔を連絡するロックピン孔を設け、シャックル軸孔とシャックル受孔の中間部にダイヤル錠機構を配置し、本体の仕切り壁部のコードリング支持孔をシャックル軸孔と平行に設け、シャックルの基端直線部と先端直線部の内面に第一のピン受溝と第二のピン受溝を設け、ロックピン孔に収容した第一のロックピンと第二のロックピンの内端部にセンターシャフトの駆動カム部に当接する第一の従動カム部と第二の従動カム部を設ける。センターシャフトが上限位置にあるとき、第一のロックピンの外端カム部がシャックルの第一のピン受溝に係合し、第二のロックピンの外端カム部がシャックルの第二のピン受溝に係合して、シャックルが本体に拘束される。【選択図】図４
2011168983.tif 000002
【特許請求の範囲】
【請求項１】
本体１の片側端部にシャックル２の基端直線部１５が挿入されるシャックル軸孔１６を設け、本体１の他側端部にシャックル２の先端直線部１７が挿入されるシャックル受孔１８をシャックル軸孔１６と平行に設け、シャックル軸孔１６とシャックル受孔１８を連絡するロックピン孔１９を本体１の上部に設け、シャックル軸孔１６とシャックル受孔１８の中間部において本体１にダイヤル錠機構２０を配置し、ダイヤル４とコードリング５の組立体を本体１のダイヤル格納部２３に格納し、仕切り壁部２４のコードリング支持孔２５をシャックル軸孔１６と平行に設け、シャックル２の基端直線部１５と先端直線部１７の内面に第一のピン受溝２７と第二のピン受溝２８を設け、センターシャフト３の頭部に駆動カム部２９を設け、ロックピン孔１９に収容した第一のロックピン９と第二のロックピン１０の内端部にセンターシャフト３の駆動カム部２９に当接する第一の従動カム部３０と第二の従動カム部３１を設け、センターシャフト３が上限位置にスライドしたとき、第一のロックピン９の外端カム部３２がシャックル２の第一のピン受溝２７に係合し、第二のロックピン１０の外端カム部３３がシャックル２の第二のピン受溝２８に係合して、シャックル２が本体１に拘束され、ダイヤル４を回転操作して固有の暗証番号に合わせたとき、コードリング５のコード突起２２が仕切り壁部２４のコード突起逃げ溝２６に対面する位置に来て、センターシャフト３の押し下げスライドが可能になるダイヤル錠機構内蔵型南京錠。
【発明の詳細な説明】
【技術分野】
【０００１】
本発明は、本体に回転可能かつスライド可能に挿入されたシャックルが内蔵した錠機構の施錠操作によって本体に拘束される南京錠に関するものである。
【背景技術】
【０００２】
特許文献１に記載されているように従来の南京錠では、本体の片側端部にシャックルの基端直線部が挿入されるシャックル軸孔を設け、本体の他側端部にシャックルの先端直線部が挿入されるシャックル受孔をシャックル軸孔と平行に設け、シャックル軸孔とシャックルとシャックル受孔との間においてシリンダー錠機構を内蔵させ、シリンダー錠機構のロータに連動装備したロックプレートをシャックルの先端直線部のロック受溝に係合させることによって、シャックルを本体に拘束保持している。
【０００３】
このように施錠状態にあるシャックルを本体に拘束する箇所はロックプレートの先端部とシャックルの先端直線部のロック受溝との係合部一箇所であるため、大きな引抜力を加えたとき、当該一箇所に集中して作用する引抜力によって当該係合部が破壊され、シリンダー錠機構を開錠するという正規のプロセスを経ずに、シャックルが本体から引き抜かれる危険性がある。
【先行技術文献】
【特許文献】
【０００４】
【特許文献１】特開２００４−２８５７０６号公報
【発明の概要】
【発明が解決しようとする課題】
【０００５】
本発明の課題は、シャックルの引き抜きに対する抵抗力が倍増したダイヤル錠機構内蔵型南京錠を提供することである。
【課題を解決するための手段】
【０００６】
図面中の参照番号を付けて説明すると、本発明の特徴は、本体１に対するシャックル２の拘束をダイヤル錠機構２０によって行ない、Ｕ状に屈曲形成したシャックル２の基端直線部１５と先端直線部１７の両者をダイヤル錠機構２０のセンターシャフト３と連動する第一のロックピン９と第二のロックピン１０によって、シャックル軸孔１６からの基端直線部１５の脱出、及びシャックル受孔１８からの先端直線部１７の脱出を阻止したことである。
【０００７】
詳細に述べると、本体１の片側端部にシャックル２の基端直線部１５が挿入されるシャックル軸孔１６を設け、本体１の他側端部にシャックル２の先端直線部１７が挿入されるシャックル受孔１８をシャックル軸孔１６と平行に設け、シャックル軸孔１６とシャックル受孔１８を連絡するロックピン孔１９を本体１の上部に設け、シャックル軸孔１６とシャックル受孔１８の中間部において本体１にダイヤル錠機構２０を配置し、ダイヤル４とコードリング５の組立体を本体１のダイヤル格納部２３に格納し、仕切り壁部２４のコードリング支持孔２５をシャックル軸孔１６と平行に設け、シャックル２の基端直線部１５と先端直線部１７の内面に第一のピン受溝２７と第二のピン受溝２８を設け、センターシャフト３の頭部に駆動カム部２９を設け、ロックピン孔１９に収容した第一のロックピン９と第二のロックピン１０の内端部にセンターシャフト３の駆動カム部２９に当接する第一の従動カム部３０と第二の従動カム部３１を設ける。
センターシャフト３が上限位置にスライドしたとき、第一のロックピン９の外端カム部３２がシャックル２の第一のピン受溝２７に係合し、第二のロックピン１０の外端カム部３３がシャックル２の第二のピン受溝２８に係合して、シャックル２が本体１に拘束され、ダイヤル４を回転操作して固有の暗証番号に合わせたとき、コードリング５のコード突起２２が仕切り壁部２４のコード突起逃げ溝２６に対面する位置に来て、センターシャフト３の押し下げスライドが可能になるものである。
【発明の効果】
【０００８】
本発明の南京錠では、シャックル２が本体１に拘束されたロック位置においては、ダイヤル錠機構２０のセンターシャフト３は上限位置にあり、センターシャフト３の駆動カム部２９によって第一の従動カム部３０を押された第一のロックピン９の外端カム部３２がシャックル２の基端直線部１５の第一のピン受溝２７に係合し、同じくセンターシャフト３の駆動カム部２９によって第二の従動カム部３１を押された第二のロックピン１０の外端カム部３３がシャックル２の先端直線部１７の第二のピン受溝２８に係合しているので、シャックル２は本体１に対して２箇所において拘束されていることになる。そのため、ダイヤル錠機構２０の開錠という正規のプロセスを経ずに、シャックル２を本体１から無理やり引き抜こうとする外力は二分されることになり、引き抜きに対する抵抗力が倍増する。
【０００９】
シャックル２に加えられた引抜力は、シャックル２の基端直線部１５の第一のピン受溝２７を介して第一のロックピン９の外端部に作用する一方、シャックル２の先端直線部１７の第二のピン受溝２８を介して第二のロックピン１０に作用するのであるが、第一のロックピン９と第二のロックピンは本体１のロックピン孔１９に収容されているため、最終的にはロックピン孔１９の内面によって受け止められることになり、センターシャフト３を始めとするダイヤル錠機構２０の構成部品には引抜力は一切作用しない。そのため、ダイヤル錠機構が暴力的に破壊されることがない。
【００１０】
ダイヤル４とコードリング５の組立体を回転操作して固有の暗証番号に合わせたとき、コードリング５のコード突起２２が仕切り壁部２４のコード突起逃げ溝２６に対面する位置に来ることになり、この状態においてシャックル２に引抜力を加えると、第一のロックピン９の外端カム部３２がシャックル２の基端直線部１５の第一のピン受溝２７に押されることによって第一のロックピン９が内側にスライドする一方、第二のロックピン１０の外端カム部３３がシャックル２の先端直線部１７の第二のピン受溝２８に押されることによって第二のロックピン１０が内側にスライドし、第一のロックピン９の従動カム部３１と第二のロックピン１０の従動カム部３１がセンターシャフト３の駆動カム部２９を押すことになり、センターシャフト３はセンターシャフト用バネ７の付勢に抗して押し下げられ、コードリング５のコード突起２２が仕切り壁部２４のコード突起逃げ溝２６が入り込むことになる。固有の暗証番号にダイヤル４の符号を並べるという単一の操作によって、二箇所の拘束がタイミング遅れなく同時になされるため、開錠操作の簡便性と的確性において優れている。
【図面の簡単な説明】
【００１１】
【図１】図１は本発明の一実施例に係るダイヤル錠機構内蔵型南京錠の正面図である。
【図２】図２は図１の南京錠の左側面図である。
【図３】図３は図１の南京錠の底面図である。
【図４】図４は図２のＡ−Ａ線断面図である。
【図５】図５は図１の南京錠の水平断面図である。
【図６】図６は図１の南京錠の組立手順を示す斜視図である。
【図７】図７は図１の南京錠のダイヤル錠機構に用いたダイヤルの平面図である。
【図８】図８は図７のダイヤルの垂直断面図である。
【図９】図９は図７のダイヤルの底面図である。
【図１０】図１０は図１の南京錠のダイヤル錠機構に用いたコードリングの平面図である。
【図１１】図１１は図１０のコードリングの正面図である。
【図１２】図１２は図１０のコードリングの垂直断面図である。
【図１３】図１３は図１０のコードリングの底面図である。
【図１４】図１４は図１の南京錠のダイヤル錠機構に用いたセンターシャフトの正面図である。
【図１５】図１５は図１４のセンターシャフトの背面図である。
【図１６】図１６は図１４のセンターシャフトの底面図である。
【図１７】図１７は図１の南京錠のダイヤル錠機構に用いたダイヤルクリック用板バネの正面図である。
【図１８】図１８は図１７のダイヤルクリック用板バネの水平断面図である。
【図１９】図１９は図１の南京錠のダイヤル錠機構に用いるチェンジキーの平面図である。
【図２０】図２０は図１９のチェンジキーの正面図である。
【図２１】図２１は図１の南京錠のダイヤル錠機構に用いる化粧板の正面図である。
【図２２】図２２は図２１の化粧板の左側面図である。
【図２３】図２３は図２１の化粧板の底面図である。
【図２４】図２４は図１の南京錠の本体の左側面図である。
【図２５】図２５は図２４のＢ−Ｂ線断面図である。
【図２６】図２６は図２５のＣ−Ｃ線断面図である。
【図２７】図２７は図２５のＤ−Ｄ線断面図である。
【図２８】図２８は図１の南京錠に用いたシャックルの正面図である。
【図２９】図２９は図１の南京錠に用いた第一のロックピンの正面図である。
【図３０】図３０は図１の南京錠に用いた第二のロックピンの正面図である。
【実施例】
【００１２】
図示の実施例では、本体１の片側端部にシャックル２の基端直線部１５が回転可能かつスライド可能に挿入されるシャックル軸孔１６を設け、本体１の他側端部にシャックル２の先端直線部１７がスライド可能に挿入されるシャックル受孔１８をシャックル軸孔１６と平行に設け、シャックル２の基端直線部１５をシャックル用バネ１１によって押し上げ方向にスライド付勢し、本体１に設けたストッパー１３によってシャックル２の基端直線部１５のシャックル軸孔１６からの脱出を阻止している。ストッパー１３は、本体１の水平孔６４に打ち込まれたスプリングピンで構成され、シャックル２の基端直線部１５の内側面であって第一のピン受溝２７よりも下方部分に形成された縦長のストッパー溝３４に係合している。
【００１３】
シャックル軸孔１６とシャックル受孔１８を連絡するロックピン孔１９は、シャックル軸孔１６及びシャックル受孔１８に対して直角に形成されている。本体１には、シャックル軸孔１６とシャックル受孔１９の底部に連通した水抜き孔６５が設けられている。シャックル軸孔１６とシャックル受孔１８の中間部において本体１に内蔵されたダイヤル錠機構２０は、センターシャフト３、複数個のダイヤル４、複数個のコードリング５、エンドリング６、センターシャフト用バネ７、ダイヤルクリック用板バネ８よりなる。
【００１４】
４個のダイヤル４の中央部にはコードリング５が嵌合する保持孔３５を設けてあり、保持孔３５の内周面には１０個の内周コード溝２１を等角度間隔に設けてある。４個のコードリング５の外周面には各一個のコード突起２２が設けられており、内周コード溝２１のどれか一つにコード突起２２を係合させることによって、各一個のダイヤル４とコードリング５が組み立てられる。各ダイヤル４の外周面はクリック溝３６を境界として十個の区画に等分割され、０から９の数字が刻設され、表示用塗料が充填されている。
【００１５】
本体１には、仕切り壁部２４で隔てられた４個のダイヤル格納部２３がロックピン孔１９と平行に形成されている。仕切り壁部２４の中央部には、コードリング５の一部が嵌合するコードリング支持孔２５を設けてあり、コードリング支持孔２５の内周面には、コード突起２２が入り込み可能なコード突起逃げ溝２６を設けてある。
内周コード溝２１にコード突起２２を係合させたダイヤル４とコードリング５との組立体は、ダイヤル格納部２３に格納され、センターシャフト３を中心に回転可能である。
【００１６】
ダイヤル４及びコードリング５を使用者が選択した特定の回転位置に保持するために、本体１にはダイヤルクリック用板バネ８が固定されている。ダイヤルクリック用板バネ９には、左右一対のクリックアーム３７が４組突き出し形成されており、クリックアーム３７の先端部がダイヤル４の外周面のクリック溝３６に弾性係合することによって、ダイヤル４は選択した回転位置に保持される。また、ダイヤル４を回転したときには、クリックアーム３７とクリック溝３６との係合音によってクリック感が得られる。
【００１７】
図６に示したようにダイヤル錠機構２０の組立に当たっては、４個のダイヤル４の数字を０に合わせて本体のダイヤル格納部２３に挿入する。４個のコードリング５については、コード突起２２の面取り面４７をセンターシャフト３の基端側に揃えて、センターシャフト３に嵌められ、コード突起２２が下側一列に揃えられる。コードリング５を嵌めたセンターシャフト３は、仕切り壁部２４のコードリング支持孔２５とダイヤルの４の保持孔３５に挿入する。この挿入は、センターシャフト３のスリット溝４３を図示方向に合わせて行なわれる。
この組立当初の暗証番号は「０−０−０−０」になっているが、別の暗証番号に設定するには、チェンジキー３９を後記する手順で操作する。例えば、最上段のダイヤル４とコードリング５の組立体の組立角度を３６度だけ変更すれば、新しい暗証番号は「１−０−０−０」となる。
【００１８】
ダイヤル４の外周部分の一部は、本体１に嵌め合わせて化粧板１２の窓孔４８から前後に突出している。ダイヤルクリック用板バネ８の基板部５２には、ダイヤル４の外周部分が通過する開口部５３を設けてある。化粧板１２の底面板部４９の二個の矩形状固定孔６１には、本体１の底面部の加締用突起５１が挿入され、加締用突起５１の加締処理によって、化粧板１２が本体１に固定される。本体１の中央部に形成した位置決め用溝６０には、化粧版１２の位置決め用リブ５８が係合する。
【００１９】
仕切り壁部２４の全てのコードリング支持孔２５は、シャックル軸孔１６及びシャックル受孔１８と平行に形成されている。センターシャフト３の下端部分の外周溝３８にはＥ−リング１４が嵌め込み固定されている。本体１の中央下端部にはコードリング支持孔２５と整列してエンドリング用嵌合孔５５が設けられている。嵌合孔５５に嵌合されたエンドリング６は、エンドリング６の外周縦溝５４に嵌合孔５５の内周突起５６が係合するため、エンドリング６は本体１に対して回転不能である。エンドリング６の下面部の環状突起５７は、化粧板１２の底面板部４９の円形貫通孔５０に嵌合している。
エンドリング６とＥ−リング１４との間にセンターシャフト用バネ７が挿入され、センターシャフト３を押し上げ付勢している。
【００２０】
ロックピン孔１９は、センターシャフト３によって二分され、その片側部分に第一のロックピン９がスライド可能に収容され、ロックピン孔１９の他側部分に第二のロックピン１０がスライド可能に収容されている。第二のロックピン１０の外周肩部６３がロックピン孔１９の内周肩部６２に当接することによって、第二のロックピン１０はロックピン孔１９から脱出しないようになっている。
【００２１】
センターシャフト３が上限位置にあるとき、センターシャフト３はロックピン１９の中央部に入り込み、センターシャフト３の円錐状の駆動カム部２９によって第一の円錐状の従動カム部３０を押された第一のロックピン９と、センターシャフト３の駆動カム部２９によって第二の円錐状の従動カム部３１を押された第二のロックピン１０を、外側方向に押す。これによって第一のロックピン９の円錐状の外端カム部３２がシャックル２の基端直線部１５の第一のピン受溝２７に係合する一方、第二のロックピン１０の円錐状の外端カム部３３がシャックル２の先端直線部１７の第二のピン受溝２８に係合するため、シャックル２は基端直線部１５と先端直線部１７の両者が本体１に拘束される。
【００２２】
センターシャフト３の基端部には、チェンジキー３９のセンターピン４０が入り込む空洞部４１を同心に形成してあり、空洞部４１には基端側から直径方向に縦溝４２が形成され、縦溝４２の途中には開き角度１８０度のスリット溝４３が形成されている。チェンジキー３９のセンターピン４０はキー摘み体４４に対して軸方向に可動であり、先端部には、縦溝４２を経てスリット溝４３に係合する引き出しピン４５を有する。センターピン４０の基端部には、引き手用リング５９を接続してある。
【００２３】
ダイヤル錠機構２０の暗証番号を別の数列組合せに変更する場合には、チェンジキー３９のセンターピン４０をセンターシャフト３の空洞部４１に挿入し、引き出しピン４５をセンターシャフト３のスリット溝４３に係合させて、センターピン４０を引き出す。センターシャフト３の縦溝４２には、エンドリング５の内周突起４６が係合しているため、センターシャフト３は回されない。チェンジキー３９によってセンターシャフト３を限定ストローク引き出した状態では、コードリング５のコード突起２２とダイヤル４の内周コード溝２１との係合は解除され、ダイヤル４は自由に回転する。ダイヤル４を３６度単位で回転させた後、チェンジキー３９による引き出しをやめると、センターシャフト３はセンターシャフト用バネ７の作用によって押し上げられ、コードリング５のコード突起２２がダイヤル４の別の内周コード溝２１に係合する。これによってダイヤル錠機構２０の固有の暗証番号が変更される。
【符号の説明】
【００２４】
１  本体
２  シャックル
３  センターシャフト
４  ダイヤル
５  コードリング
６  エンドリング
７  センターシャフト用バネ
８  ダイヤルクリック用板バネ
９  第一のロックピン
１０  第二のロックピン
１１  シャックル用バネ
１２  化粧板
１３  ストッパー
１４  Ｅ−リング
１５  シャックルの基端直線部
１６  シャックル軸孔
１７  シャックルの先端直線部
１８  シャックル受孔
１９  ロックピン孔
２０  ダイヤル錠機構
２１  ダイヤルの内周コード溝
２２  コードリングのコード突起
２３  本体のダイヤル格納部
２４  本体の仕切り壁部
２５  コードリング支持孔
２６  コード突起逃げ溝
２７  シャックルの基端直線部の第一のピン受溝
２８  シャックルの先端直線部の第二のピン受溝
２９  センターシャフトの駆動カム部
３０  第一のロックピンの第一の従動カム部
３１  第二のロックピンの第二の従動カム部
３２  第一のロックピンの外端カム部
３３  第二のロックピンの外端カム部
３４  シャックルの基端直線部のストッパー溝
３５  ダイヤルの保持孔
３６  ダイヤルのクリック溝
３７  ダイヤルクリック用板バネのクリックアーム
３８  センターシャフトの外周溝
３９  チェンジキー
４０  チェンジキーのセンターピン
４１  センターシャフトの基端部の空洞部
４２  センターシャフトの基端部の縦溝
４３  センターシャフトの基端部のスリット溝
４４  チェンジキーのキー摘み体
４５  チェンジキーの引き出しピン
４６  エンドリングの内周突起
４７  コードリングのコード突起の面取り面
４８  化粧板の窓孔
４９  化粧板の底面板部
５０  化粧板の底面板部の円形貫通孔
５１  本体の底面部の加締用突起
５２  ダイヤルクリック用板バネの基板部
５３  ダイヤルクリック用板バネの開口部
５４  エンドリングの外周縦溝
５５  本体のエンドリングの嵌合孔
５６  エンドリング嵌合孔の内周突起
５７  エンドリングの環状突起
５８  化粧板の位置決め用リブ
５９  チェンジキーの引き手用リング
６０  本体の位置決め用溝
６１  化粧板の固定孔
６２  ロックピン孔の内周肩部
６３  第二のロックピンの外周肩部
６４  本体のストッパー固定用水平孔
６５  本体の水抜き孔
【図３】
2011168983.tif 000003
【図１】
2011168983.tif 000004
【図２】
2011168983.tif 000005
【図４】
2011168983.tif 000006
【図５】
2011168983.tif 000007
【図６】
2011168983.tif 000008
【図７】
2011168983.tif 000009
【図８】
2011168983.tif 000010
【図９】
2011168983.tif 000011
【図１０】
2011168983.tif 000012
【図１１】
2011168983.tif 000013
【図１２】
2011168983.tif 000014
【図１３】
2011168983.tif 000015
【図１４】
2011168983.tif 000016
【図１５】
2011168983.tif 000017
【図１６】
2011168983.tif 000018
【図１７】
2011168983.tif 000019
【図１８】
2011168983.tif 000020
【図１９】
2011168983.tif 000021
【図２０】
2011168983.tif 000022
【図２１】
2011168983.tif 000023
【図２２】
2011168983.tif 000024
【図２３】
2011168983.tif 000025
【図２４】
2011168983.tif 000026
【図２５】
2011168983.tif 000027
【図２６】
2011168983.tif 000028
【図２７】
2011168983.tif 000029
【図２８】
2011168983.tif 000030
【図２９】
2011168983.tif 000031
【図３０】
2011168983.tif 000032